(57)【要約】【課題】農産物を冷蔵する農産物保冷庫の天井面に設置される農産物保冷庫用冷蔵ユニットにおいて、少ない結露水を確実に蒸発させる。【解決手段】樹脂製ベース３と、冷却器５の下側に位置し、下側断熱部４によって保持される露受皿６と、露受皿６から水を流す接続路７と、接続路７からの水を受ける樹脂製ベース３の一部に露受皿６よりも下側に位置する貯水部８と、水を吸収し蒸発させる蒸発紙９と、貯水部８の底部の少し高い位置に水平に設置される圧縮機１０の吐出側から出る配管１１と、を備える。また、接続路７からの水が、貯水部８に流れる際に、蒸発紙９側に誘導される水路１４を設けた。これにより、蒸発紙にほとんどが吸い込まれ、放熱器のファンからの風によって確実に蒸発することができる。【選択図】図１
2013221653.tif 000002
【特許請求の範囲】
【請求項１】
農産物を冷蔵する農産物保冷庫の天井面に設置される農産物保冷庫用冷蔵ユニットであって、下部に位置し冷蔵ユニットの構成部品を設置する樹脂製ベースと、冷却器の下方に位置し前記冷却器の水を受ける露受皿と、前記樹脂製ベース上には前記露受皿から流れてくる水を受け貯めることのできる貯水部と、を備え、前記貯水部には水を吸収し蒸発させる蒸発紙と、前記貯水部の底部には圧縮機の吐出側から出る配管と、を設置し、前記露受皿からの水が前記貯水部に流れる際に前記蒸発紙側に誘導される水路を設けた農産物保冷庫用冷蔵ユニット。
【請求項２】
前記水路の前記貯水部の蒸発紙側に誘導される底面を傾斜面とした請求項１に記載の農産物保冷庫用冷蔵ユニット。
【請求項３】
前記貯水部の底面を前記蒸発紙の設置位置に向い傾斜させ、前記蒸発紙の設置位置が前記貯水部で最も低く設定した請求項１に記載の農産物保冷庫用冷蔵ユニット。
【発明の詳細な説明】
【技術分野】
【０００１】
本発明は、農産物を冷蔵する農産物保冷庫の天井面に設置される農産物保冷庫用冷蔵ユニットに関するものである。
【背景技術】
【０００２】
従来、この種の農産物保冷庫用冷蔵ユニットは、外郭構造の部分は板金で構成しているが、軽量化や部品点数の削減による合理化を目的として、特に外郭下部のベース部分に樹脂を用いて形成したものがある（例えば、特許文献１参照）。
【０００３】
以下、図面を参照しながら特許文献１に記載された従来の農産物保冷庫用冷蔵ユニットを説明する。図６、７は、特許文献１に記載された従来の農産物保冷庫用冷蔵ユニットを示すものである。
【０００４】
図６に示すように、従来の冷蔵ユニットは、外郭下部となる樹脂製ベース２３と、冷却器２５と、冷却器２５の水を受ける露受皿２６と、冷却器２５と露受皿２６を下から囲う下側断熱箱２４と、冷却器２５を上方から囲う上側断熱箱（図示せず）と、外郭上部となるパネル２２と、から構成されている。
【０００５】
農作物保冷庫は、図７に示すように、前面に扉を有した断熱性の高い保冷庫本体３１の上部に冷蔵ユニット２１を備え、冷却風を図７に示す保冷庫本体３１の天面３２の開口３３から庫内に流し込むように構成している。
【０００６】
また、下側断熱部２４の中央部は、冷却器２５から発生する結露水を受ける露受皿２６が樹脂製ベース２３の貯水部２８につながるように設置され、結露水が貯水部２８に流れ落ちるように構成されている。貯水部２８は傾斜を持ちながら、冷蔵ユニット２１の廃熱側に流れる。排熱側には圧縮機３０や凝縮器（図示せず）の熱と排熱循環風とで結露水を蒸発させて外部に放出する。
【０００７】
また、樹脂製ベース２３は、ベース全体を露受け皿となるように構成されている。
【先行技術文献】
【特許文献】
【０００８】
【特許文献１】特開２００４−２５１６０８号公報
【発明の概要】
【発明が解決しようとする課題】
【０００９】
しかしながら、前記従来の構成では、冷却器２５下部で発生した結露水は、他の温度差で生じた結露水と集まりながら貯水部に流れ込み、放熱器（凝縮器）の熱などで蒸発を行うが、限られた庫内を冷却する農作物保冷庫用冷蔵ユニットにおいては、結露水の量は、通常の使用状態では、多くはない。少ない結露水では、水の表面張力により樹脂製ベース２３の貯水部２８の排熱側まで流れず、途中で水が残り埃だまりやカビの原因となるという課題を有していた。
【００１０】
また、確実に貯水部２８の排熱側まで結露水を誘導するためには、傾斜を持たせる必要があるが、冷蔵ユニットの設置時の傾きなどを考慮した場合、ある程度の傾斜が必要となり、その水路を成型するためには樹脂製ベース２３が上下に高く深くなり、成型時の金型が大きくなるほか、冷蔵ユニット２１全体が大きくなるという課題を有していた。
【００１１】
本発明は、前記従来の課題を解決するもので、結露水を効率よく蒸発させることとした農産物保冷庫用冷蔵ユニットを提供することを目的とする。
【課題を解決するための手段】
【００１２】
前記従来の課題を解決するために、本発明の農産物保冷庫用冷蔵ユニットは、下部に位置し冷蔵ユニットの構成部品を設置する樹脂製ベースと、冷却器下に位置し前記冷却器の水を受ける露受皿と、前記樹脂製ベース上には、前記露受皿から流れてくる水を受け貯めることのできる貯水部と、を備え、前記貯水部には水を吸収し蒸発させる蒸発紙と、前記貯水部の底部には圧縮機の吐出側から出る配管と、を設置し、前記露受皿からの水が貯水部に流れる際に蒸発紙側に誘導される水路を設けたものである。
【００１３】
これにより、露受皿からの水は、貯水部に流れ落ちる際に短い距離で蒸発紙側に誘導される。冷蔵ユニットの通常の運転では水は少ないため蒸発紙にほとんどが吸い込まれ放熱器のファンからの風によって確実に蒸発される。
【００１４】
したがって、樹脂製ベース上の水は、残らないので埃だまりなど汚れやカビの発生などを抑制できる。
【００１５】
また、農作物保冷庫のドアを開けたままにするなど、何らかの通常ではない使用によって、水が多く発生し、蒸発紙で処理しきれない場合には、貯水部の水を誘導にする水路に関係なく貯水部に水が溜まり、水がコンプレッサーの吐出管に直接接することとなり高温に熱せられ、蒸発を促進することができるが、この状態は頻繁には発生しない。
【００１６】
通常の少ない水の状態で確実に少ない距離で蒸発紙に水を誘導すればよいので、貯水部の傾斜は蒸発紙までの短い距離でも構わなく、極端に距離がない場合は、傾斜面も必要ない。
【発明の効果】
【００１７】
本発明の農産物保冷庫用冷蔵ユニットは、貯水部の傾斜を最小限で抑えることができるので、樹脂製ベースの上下方向の距離、高さを最小限に設計できることとなり、成型金型の上下方向の深さを短くできるのでコスト抑えることができ、成型性を上げることができる。
【図面の簡単な説明】
【００１８】
【図１】本発明の実施の形態１における農産物保冷庫用冷蔵ユニットの分解斜視図
【図２】本発明の実施の形態１における農産物保冷庫用冷蔵ユニットの分解平面図
【図３】本発明の実施の形態１における農産物保冷庫用冷蔵ユニットの分解斜視図
【図４】本発明の実施の形態２における農産物保冷庫用冷蔵ユニットの分解斜視図
【図５】本発明の実施の形態３における農産物保冷庫用冷蔵ユニットの分解斜視図
【図６】従来の農産物保冷庫用冷蔵ユニットの分解斜視図
【図７】従来の農産物保冷庫の外観斜視図
【発明を実施するための形態】
【００１９】
第１の発明は、農産物を冷蔵する農産物保冷庫の天井面に設置される農産物保冷庫用冷蔵ユニットであって、下部に位置し冷蔵ユニットの構成部品を設置する樹脂製ベースと、冷却器の下方に位置し前記冷却器の水を受ける露受皿と、前記樹脂製ベース上には前記露受皿から流れてくる水を受け貯めることのできる貯水部と、を備え、前記貯水部には水を吸収し蒸発させる蒸発紙と、前記貯水部の底部には圧縮機の吐出側から出る配管と、を設置し、前記露受皿からの水が前記貯水部に流れる際に前記蒸発紙側に誘導される水路を設
けたものである。
【００２０】
これにより、露受皿からの水は、貯水部に流れ落ちる際に短い距離で蒸発紙側に誘導されることとなり、冷蔵ユニットの通常の運転では水は少ないため、蒸発紙にほとんどが吸い込まれ放熱器のファンからの風によって確実に蒸発することができ、樹脂製ベース上の水は残らないので埃だまりなど汚れやカビの発生などを抑制できる。
【００２１】
また農作物保冷庫のドアを開けたままにするなど、何らかの通常ではない使用によって、水が多く発生し、蒸発紙で処理しきれない場合には、貯水部の水を誘導にする水路に関係なく貯水部に水が溜まり、水がコンプレッサーの吐出管に直接接することとなり、高温に熱せられ、蒸発を促進することができる。しかしながら、この状態は頻繁には発生しないため、通常の少ない水の状態で確実に少ない距離で蒸発紙に水を誘導すればよいので、貯水部には傾斜をつける必要がなく、樹脂製ベースの上下方向の高さを最小限に抑えることができる。
【００２２】
第２の発明は、特に第１の発明において、前記貯水部の蒸発紙側に誘導される水路の底面を傾斜面としたものである。
【００２３】
これにより、貯水部の蒸発紙側への水路が比較的長いもしくは幅が広いなどの場合、水がすべて蒸発紙側に流れ落ちない可能性があるので、傾斜部を設けることにより、確実に蒸発紙側に水を流すことができ、確実に水を蒸発させることができる。
【００２４】
第３の発明は、特に第１の発明において、前記貯水部の底面を前記蒸発紙の設置位置に向い傾斜させ、前記蒸発紙の設置位置が前記貯水部で最も低く設定したものである。
【００２５】
これにより、貯水部に到達した水が、一段低い蒸発紙の部分に入り込むことにより、少ない水であってもより確実に蒸発させることができる。
【００２６】
以下、本発明の農産物保冷庫用冷蔵ユニットの実施の形態について、図面を参照しながら説明する。なお、この実施の形態によって本発明が限定されるものではない。
【００２７】
（実施の形態１）
図１は、本発明の実施の形態１における農産物保冷庫用冷蔵ユニットの分解斜視図を示すものである。図２は、本発明の実施の形態１の農産物保冷庫用冷蔵ユニットの分解平面図を示すものである。図３は、本発明の実施の形態１の農産物保冷庫用冷蔵ユニットの分解斜視図を示すものである。
【００２８】
図２から図３に示すように本実施の形態における農産物保冷庫用冷蔵ユニットは、下部に位置し冷蔵ユニットの構成部品を設置する樹脂製ベース３と、発泡断熱材からなり冷却器５の下側を断熱し周囲が樹脂製ベース３によって保持される下側断熱部４と、樹脂からなり冷却器５の下方に位置し下側断熱材４によって保持される露受皿６と、露受皿６には冷却器５で生じた水が露受皿６に落ちそれを流すために接続路７が備えられる。
【００２９】
また、露受皿６からの水を受ける樹脂製ベース３の一部に露受皿６よりも下側に位置する貯水部８と、水を吸収し蒸発させる蒸発紙９と、貯水部８の底部の少し高い位置に水平に設置される圧縮機１０の吐出側から出る配管１１と、を備える。
【００３０】
また、図１に示すように、樹脂製ベース３の貯水部８は、本実施の形態では、水平に平らであるが、水が流れ込む露受皿６の接続路取付け部１２に近くに蒸発紙９を設置しており、露受皿６の接続路取付け部１２の両側に貯水部８の深さに対して高さの低いリブ１３
を設けて水路１４を形成している。
【００３１】
この水路１４は、露受皿６の接続路取付け部１２から蒸発紙９まで設置されている。
【００３２】
以上のように構成された本実施の形態の農産物保冷庫用冷蔵ユニットについて、その動作、作用を説明する。
【００３３】
まず、冷却器５から露受皿６に落ちた水は、露受皿６の接続路７を通り、露受皿６と露受皿６の接続路７は傾斜しているため、自然に貯水部８に流れ落ちる。露受皿６の接続路取付け部１２の両側にはリブ１３が設置され、水路１４を形成しているので、水はその間を流れざるを得なく、その先の蒸発紙９に誘導される。
【００３４】
次に、蒸発紙９は水を吸収し紙面に水を分散し、放熱器（凝縮器）のファンからの風をうけて水を蒸発させる。冷却器５からの水は、冷蔵ユニットが通常の運転中は、保冷庫の庫内からの水分は少ないので、冷却器５で結露する水は比較的少なく、露受皿６の接続路７から落ちる水は、水路１４の間を確実に通る。
【００３５】
一方で、保冷庫においてドアの開けっ放しなどの異常な状態においては、冷却器５から多くの結露水が発生するが、その場合、露受皿６の接続路７から落ちる水が水路１４のリブ１３の高さ以上に貯水部８に溜まる。その場合、貯水部８の全体に水がたまることとなり、圧縮機１０の吐出側からの配管１１に水が接触し、水の温度を高温にすることができ、蒸発を促進することができる。このような状態は頻繁には発生しないため、通常の少ない水の状態で確実に蒸発紙９に水を誘導できるので、放熱器側までの長い区間に水を流すために傾斜させる不要がなく、樹脂製ベース３の上下方向の高さを抑えることができ、薄くなるため材料費などのコストを下げることができ、成型の金型も上下に浅くできるので、金型のコストを抑え、成型性も上げることができる。
【００３６】
（実施の形態２）
図４は、本発明の実施の形態２における農産物保冷庫用冷蔵ユニットの分解斜視図を示すものである。
【００３７】
なお、本実施の形態において、実施の形態１と同一構成については、同一符号を付して、その詳細な説明は省略する。
【００３８】
本実施の形態は、実施の形態１と異なる構成は、露受皿６の接続路取付け部１２の貯水部８の底面を傾斜面としたものである。
【００３９】
図４に示すように、露受皿６の接続路取付け部１２の貯水部８の底面に傾斜面１５を設けている。
【００４０】
以上のように構成された本実施の形態の農産物保冷庫用冷蔵ユニットについて、その動作、作用を説明する。
【００４１】
貯水部８に流れ落ちる水は、蒸発紙側に指向性を持たせた傾斜面１５を伝わり、より確実に蒸発紙９に吸収され蒸発する。
【００４２】
また、図４には傾斜面１５の両側にはリブを設けていないが、リブを設定してもよい。
【００４３】
さらに、図４では、蒸発紙９が露受皿６の接続路取付け部１２に比較的近い位置にあるが、蒸発紙９の位置が遠い場合、傾斜をつけることで、より確実に水を蒸発紙９に誘導す
ることができる。その場合、水路の幅は比較的狭くても水の量が少ないので狭く設計できるが、その傾斜を持った水路は、貯水部８の中に設置し水が多く発生しても貯水部８にたまるように設定する。
【００４４】
（実施の形態３）
図５は、本発明の実施の形態３における農産物保冷庫用冷蔵ユニットの分解斜視図を示すものである。
【００４５】
なお、本実施の形態において、実施の形態１と同一構成については、同一符号を付して、その詳細な説明は省略する。
【００４６】
本実施の形態は、実施の形態１の構成から、貯水部８の底面の蒸発紙９の設置位置に向い傾斜させ、蒸発紙９の設置位置が貯水部８で最も低く設定し凹部１６としたものである。
【００４７】
図５に示すように、蒸発紙９の下側の設置位置を貯水部８の他の底面よりも低く設定し凹部１６とする。
【００４８】
以上のように構成された本実施の形態の農産物保冷庫用冷蔵ユニットについて、その動作、作用を説明する。
【００４９】
貯水部８に流れ落ちる水は、貯水部８の他の底面よりも低く設定された蒸発紙９の下側の凹部１６に集まり、蒸発紙９に確実に吸収され蒸発することができる。
【００５０】
一方で、蒸発紙９で蒸発しきれない水が貯水部８に入り込んでも、圧縮機１０の吐出側からの配管１１に水が到達し水の温度を上昇させ、蒸発を促進できる。したがって、少ない水を効率よく蒸発することができる。
【００５１】
また、図５においては、露受皿６の接続路取付け部１２の両側にリブを設けていないが、リブを設けても良い。
【産業上の利用可能性】
【００５２】
本発明にかかる農産物保冷庫用冷蔵ユニットは、少量の結露水を確実に効率よく蒸発させることができるため、家庭用冷蔵庫、業務用冷蔵庫、自動販売機などの冷蔵装置に適用できる。
【符号の説明】
【００５３】
３  樹脂製ベース
４  下側断熱部
５  冷却器
６  露受皿
７  接続路
８  貯水部
９  蒸発紙
１０  圧縮機
１１  配管
１２  接続路取付け部
１３  リブ
１４  水路
１５  傾斜面
１６  凹部
【図１】
2013221653.tif 000003
【図２】
2013221653.tif 000004
【図３】
2013221653.tif 000005
【図４】
2013221653.tif 000006
【図５】
2013221653.tif 000007
【図６】
2013221653.tif 000008
【図７】
2013221653.tif 000009